(57)【要約】      （修正有）【課題】建屋外壁と敷地境界との間の狭小地に構築する単管足場用の支柱として、地上と足場通路との間や上下の足場通路間での直接的な行き来を可能にするものを提供する。【解決手段】パイプ支柱本体１１の径方向両側に、長手方向所定間隔置きに短パイプ材の基端側をパイプ支柱に溶接した足掛け部１２…を略水平状態に突設する。【選択図】図１
2009161934.tif 000002
【特許請求の範囲】
【請求項１】
パイプ支柱本体の径方向両側に、長手方向所定間隔置きに足掛け部が略水平状態に突設されてなる単管足場用支柱。
【請求項２】
前記足掛け部がパイプ支柱本体に基端側を溶接した短パイプ材からなる請求項１に記載の単管足場用支柱。
【請求項３】
前記足掛け部の先端側に上方へ突出した踏み外し防止用の突縁部が一体形成されてなる請求項１又は２に記載の単管足場用支柱。
【請求項４】
パイプ支柱本体の径方向一方側の足掛け部と、径方向他方側の足掛け部とが上下に段違いに配置してなる請求項１〜３のいずれかに記載の単管足場用支柱。
【請求項５】
請求項１〜４のいずれかに記載の単管足場用支柱の複数本が建造物外壁に沿って所定間隔置きに一列に立設されると共に、これら支柱が上下複数箇所で水平バーを介して相互に連結されてなる単管足場構造。
【請求項６】
隣接する支柱間に、両端にパイプ用クランプ具を固着した足場板が該クランプ具を介して架設されてなる請求項５に記載の単管足場構造。
【請求項７】
前記一列に立設する複数本の支柱と上下複数箇所の水平バーとで構築された単管足場と、異方向の外壁に沿って構築された単管足場とが、頂部側において火打にて相互に連結されてなる請求項５又は６に記載の単管足場構造。
【発明の詳細な説明】
【技術分野】
【０００１】
本発明は、敷地一杯に建てられた低層住宅等の建屋外壁と敷地境界との間の狭小地に構築する単管足場用に適した支柱と、この支柱を用いた単管足場構造に関する。
【背景技術】
【０００２】
一般的に、単管足場では、建屋壁面に対して内外２本ずつのパイプ支柱を壁面方向に沿って所定間隔置きに立設すると共に、内側支柱同士を上下複数箇所でパイプ製の水平バーにて連結すると共に、内外支柱間を横桟やブラケットで連結し、これら横桟やブラケットを利用して足場板を壁面と平行に架設し、また要所に昇り降り用の階段や梯子を取り付けるようにしている。しかるに、地価の高い大都市近郊の住宅や市街地の建物では、建屋外壁から隣との敷地境界までの幅が例えば６０ｃｍ以下と狭小で、上述のような内外二本ずつの支柱による足場構築が困難な場合が多々ある。
【０００３】
そこで、狭小地に構築する単管足場では、パイプ支柱を内外２本ずつとせずに壁面方向に沿って１列に立設して水平バーで連結した一側足場とし、各パイプ支柱に取り付けたブラケットを介して足場板を片持ち状態に保持したり（特許文献１）、各パイプ支柱に固着した受け枠に、狭幅の足場板の両端に設けたフック金具を掛止したり（特許文献２）する構造が採用されている。
【特許文献１】特開平１０−７７７３４号公報
【特許文献２】特開２００４−１１６１９３号公報
【発明の開示】
【発明が解決しようとする課題】
【０００４】
しかしながら、上述のような一側足場においても、構築場所が特に狭小で階段や梯子を設置する空間的余裕がない場合、作業者は各足場通路には足場の側方端部から回り込んで行くしかなく、地上と足場通路との間や、上下の足場通路間での直接的な行き来ができないため、外壁の仕上げ作業や改修作業等に非常に不便であり、作業内容によっては作業能率が著しく低下するという問題があった。
【０００５】
本発明は、上述の情況に鑑み、特に低層住宅等の建屋外壁と敷地境界との間の狭小地に構築する単管足場用として、地上と足場通路との間や、上下の足場通路間での直接的な行き来を可能にする支柱と、この支柱を利用して高い作業能率を達成できる単管足場構造とを提供することを目的としている。
【課題を解決するための手段】
【０００６】
上記目的を達成するための手段を図面の参照符号を付して示せば、請求項１の発明に係る単管足場用支柱１は、パイプ支柱本体１１の径方向両側に、長手方向所定間隔置きに足掛け部１２…が略水平状態に突設されてなる構成としている。
【０００７】
請求項２の発明は、上記請求項１の単管足場用支柱１において、足掛け部１２…がパイプ支柱本体１１に基端側を溶接した短パイプ材１２ａからなるものとしている。
【０００８】
請求項３の発明は、上記請求項１又は２の単管足場用支柱１において、足掛け部１２…の先端側に上方へ突出した踏み外し防止用の突縁部１３が一体形成されてなるものとしている。
【０００９】
請求項４の発明は、上記請求項１〜３のいずれかの単管足場用支柱１において、パイプ支柱本体１１の径方向一方側の足掛け部１２と、径方向他方側の足掛け部１２とが上下に段違いに配置してなるものとしている。
【００１０】
請求項５の発明に係る単管足場構造は、上記請求項１〜４のいずれかにの単管足場用支柱１の複数本が建造物外壁Ｆに沿って所定間隔置きに一列に立設されると共に、これら支柱１…が上下複数箇所で水平バー２…を介して相互に連結されてなるしてなる構成としている。
【００１１】
請求項６の発明は、上記請求項５の単管足場構造において、隣接する支柱１，１間に、両端にパイプ用クランプ具３２を固着した足場板３が該クランプ具３２を介して架設されてなるものとしている。
【００１２】
請求項７の発明は、上記請求項５又は６の単管足場構造において、一列に立設する複数本の支柱１…と上下複数箇所の水平バー２…とで構築された単管足場Ｓ１と、異方向の外壁に沿って構築された単管足場Ｓ２とが、頂部側において火打４にて相互に連結されてなる構成としている。
【発明の効果】
【００１３】
次に、本発明の効果について図面の参照符号を付して示せば、請求項１の発明に係る単管足場用支柱１によれば、足掛け部１２…を利用して当該支柱１を簡単に昇り降りできるから、この支柱１…を用いて狭小地に構築した単管足場Ｓ１において、地上と足場通路との間や、上下の足場通路間を直接的に行き来でき、もって外壁の仕上げ作業や改修作業等を能率よく行える。
【００１４】
請求項２の発明によれば、単管足場用支柱１の足掛け部１２…が、パイプ支柱本体１１への短パイプ材１２ａの溶接によって容易に且つ安価に形成できる。
【００１５】
請求項３の発明によれば、単管足場用支柱１の足掛け部１２…の先端側に設けた突縁部１３により、該支柱１の昇り降りに際し、該足掛け部１２…に掛けた足が外側へ滑って外れる懸念がなく、もって安全に昇り降りを行える。
【００１６】
請求項４の発明によれば、パイプ支柱本体１１の足掛け部１２…が径方向両側で上下に段違いに配置するから、該支柱１の昇り降りをより容易に行える。
【００１７】
請求項５の発明に係る単管足場構造によれば、狭小地に一側足場の形態で構築した単管足場Ｓ１において、支柱１…の足掛け部１２…を利用して、地上と足場通路との間や、上下の足場通路間を直接的に行き来できるから、外壁の仕上げ作業や改修作業等を能率よく行える。
【００１８】
請求項６の発明によれば、上記の単管足場構造において、隣接する支柱１，１間に、足場板３を両端のパイプ用クランプ具３２を介して容易に且つ確実に架設できる。
【００１９】
請求項７の発明によれば、上記の単管足場構造において、狭小地に一側足場の形態で構築した単管足場Ｓ１は、異方向の外壁に沿う単管足場Ｓ２に対して頂部側で火打４にて連結されるため、安定した立設状態に保たれる。
【発明を実施するための最良の形態】
【００２０】
以下、本発明の実施形態について、図面を参照して具体的に説明する。図１は構築した単管足場Ｓ１の外観、図２は隣接する建屋間の狭小地に構築した同単管足場Ｓ１の側面、図３は同単管足場に用いる種々の長さの支柱部材とその連結に用いる管継手、図４は同支柱部材の要部、図５は他の実施形態に係る支柱部材の要部、図６は単管足場用支柱に対する足場板の取付状態、図７は同単管足場Ｓ１と異方向の単管足場Ｓ２との連結状態、をそれぞれ示す。
【００２１】
図１及び図２に示す単管足場Ｓ１は、所定間隔置きに一列に立設配置した複数本の支柱１…が上下複数箇所（図では４箇所）で丸パイプからなる水平バー２…を介して連結されると共に、各隣接する支柱１，１間の上下２カ所に足場板３…が架設されて、一側足場を構成している。そして、各支柱１は、パイプ支柱本体１１の長手方向一定間隔置きに、短パイプ状の足掛け部１２…が径方向両側で交互に段違いに配置するように突設されており、根元がパイプジャッキベース５に嵌着されている。
【００２２】
なお、各支柱１は、例えば図３（Ａ）〜（Ｄ）に示すような足掛け部１２が８段の支柱部材１Ａ、同５段の支柱部材１Ｂ、同４段の支柱部材１Ｃ、同２段の支柱部材１Ｄ等、長さの異なる支柱部材を適当に組み合わせて連結することにより、所要の全長に設定される。図３（Ｅ）に示すジョイント部材６は、パイプ支柱本体１１と同外径の基部６ａの両側に、細径パイプ状の挿管部６ｂが一体形成されており、その両挿管部６ｂ，６ｂを連結すべき支柱部材１Ａ〜１Ｄの各々の端部に挿入し、支柱部材側の端部に設けたピン穴１４と当該挿管部６ｂの根元側のピン穴６１にロックピン（図示省略）を通して抜け止めするようになっている。
【００２３】
図４（Ａ）（Ｂ）に示すように、各支柱１の足掛け部１２は、短パイプ材１２ａの基端側をパイプ支柱本体１１に溶接して水平状態に固着したものであり、先端に径大円盤状の端板１２ｂをやや軸心が上側へずれるように溶接固着することにより、該先端に踏み外し防止用の上向きの突縁部１３が形成されている。なお、図１〜図４で示す足掛け部１２は支えなしの構造であるが、足掛け部１２の下面側とパイプ支柱本体１１との間に補強用として、例えば図５（Ａ）（Ｂ）に示す斜め配置の支持フレーム１５等の支え部材を溶接固着した構造としてもよい。
【００２４】
足場板３は、図６（Ａ）（Ｂ）に示すように、狭小地用として幅１００〜１５０程度の狭幅に形成されて表面に滑止め凹凸を有する足場板本体３１の両端に、パイプ用クランプ具３２が溶接固着されており、該クランプ具３２を支柱１のパイプ支柱本体１１に締着固定することにより、隣接する支柱１，１間に水平に架設されている。
【００２５】
各水平バー２は、各支柱１との交叉部分において、自在クランプ具６を介して当該支柱１のパイプ支柱本体１１に連結されている。この自在クランプ具６は、詳細な図示を省略しているが、足場板３に設けたパイプ用クランプ具３２と同様のクランプ金具の２個が相対回転自在に連結したものである。なお、水平バー２は、支柱１の下部では根絡み、足場板３の上位では手摺りとして機能する。
【００２６】
上記構成の単管足場Ｓ１では、例えば図２に示すように、近接して建つ家屋Ｈ，Ｈの外壁Ｆ，Ｆ間の幅Ｗが６０ｃｍに満たないような狭小地Ｇに一側足場として構築した場合、階段や梯子等を付設できないが、各支柱１が足掛け部１２…によって昇り降り可能になっているから、作業者が地上と足場通路との間や上下の足場通路の間で移動するのに、いちいち足場両端の外側位置から回り込んで来る必要がなく、その狭小地Ｇの狭い空間内でも各支柱１を利用した昇り降りによって直接的に行き来でき、もって外壁Ｆの仕上げ作業や改修作業等を能率よく行える。
【００２７】
なお、このような一側足場形態の単管足場Ｓ１においては、直立状態に保持する上で、例えば図２の立地状況では両側の外壁Ｆ，Ｆに対して適当な突張り具を当てがうようにしてもよいが、より安定した立設状態に保つために、例えば図７に示すように、当該単管足場Ｓ１の屋根Ｒから突出した頂部において火打４によって異方向の単管足場Ｓ２と連結することが推奨される。
【００２８】
すなわち、図７の構成では、工事対象とする家屋Ｈの異方向の壁面に沿って内外２列に支柱１０…が配置する通常形態の単管足場Ｓ２が構築されており、その単管足場Ｓ２の内側における最上部の水平バー２０と、狭小地Ｇ側に構築した既述の単管足場Ｓ１における最上部の水平バー２との間に、丸パイプ製の火打４が両端部で各々自在クランプ具６を介して連結されている。また、この場合には、両単管足場Ｓ１，Ｓ２の端部の支柱１，１０同士も連結杆７とクランプ具（図示省略）を介して連結している。図中、３０は単管足場Ｓ２側の広幅の足場板であり、両端のフック３０ａ，３０ａを内外支柱１０，１０間の横桟２１に掛止させている。なお、図７では単管足場Ｓ１の一側のみを示しているが、他側においても同様に火打４によって異方向の単管足場Ｓ２と連結される。
【００２９】
図１及び図２では、各支柱１の足掛け部１２…が水平バー２…に沿う向きになっているが、当該単管足場Ｓ１を構築する部位の広さと周辺状況により、該足掛け部１２…の向きを水平バー２…に対して直交する向きとしたり、局所的に異なる向きとしてもよい。また、足場板３…及び水平バー２…の架設位置と架設段数、支柱１…の配列間隔と高さ等は、工事対象の建物の大きさと形態や工事の種類によって様々に変更し得ることは言うまでもない。
【００３０】
なお、支柱１の足掛け部１２…は、同位置で径方向両側に突出する配置形態とすることも可能である。しかるに、例示したように足掛け部１２…を径方向両側で段違いに配置する形態では、設置数が少なくて済むことに加え、径方向片側で上下の足掛け部１２，１２間が広くなり、作業者が支柱１位置を横切る際に通行し易いという利点がある。また、足掛け部１２をアングル材やチャンネル材、これらを適当な形状に折り曲げた金属枠等で形成してもよいが、例示した短パイプ材１２ａによれば足掛け部１２を安価に且つ容易に形成できる利点がある。更に、該足掛け部１２の踏み外し防止用の突縁部１３は、少なくとも上方へ突出する形状であればよく、例示したような径大円盤状の端板１２ｂ以外の種々の形態の材料でも形成可能である。一方、足場板３については、例示したクランプ具３２による架設方式に限らず、例えば支柱１側に適当な受け部を設け、足場板３側の掛止金具を該受け部に掛着する等、種々の架設方式を採用できる。
【図面の簡単な説明】
【００３１】
【図１】本発明の一実施形態に係る単管足場の斜視図である。
【図２】同単管足場の側面図である。
【図３】本発明の一実施形態に係る単管足場用支柱に用いる部材を示し、（Ａ）〜（Ｄ）は足掛け部の段数及び長さが異なる支柱部材の正面図、（Ｅ）はジョイント部材の正面図である。
【図４】同単管足場用支柱における足掛け部の形成部分を示し、（Ａ）は正面図、（Ｂ）は側面図である。
【図５】他の実施形態に係る単管足場用支柱における足掛け部の形成部分を示し、（Ａ）は正面図、（Ｂ）は側面図である。
【図６】単管足場用支柱に対する足場板の取付状態を示し、（Ａ）は横断平面図、（Ｂ）は正面図である。
【図７】同単管足場と異方向の単管足場との連結状態を示す平面図である。
【符号の説明】
【００３２】
１      支柱（単管足場用支柱）
１１    パイプ支柱本体
１２    足掛け部
１２ａ  短パイプ材
１３    突縁部
２      水平バー
３      足場板
３１    足場板本体
３２    パイプ用クランプ具
４      火打
【図１】
2009161934.tif 000003
【図２】
2009161934.tif 000004
【図３】
2009161934.tif 000005
【図４】
2009161934.tif 000006
【図５】
2009161934.tif 000007
【図６】
2009161934.tif 000008
【図７】
2009161934.tif 000009